(57)【特許請求の範囲】
【請求項１】
細長状の発光部を有し、かつ該発光部の長手方向の一端側に口金部を有するランプを備え、該ランプの長手方向に複数台連ねて使用される照明器具において、
ランプソケットを備えたランプ台と、
前記ランプソケットに装着支持され、前記ランプ台の長手方向に、該ランプ台の設置面に対して平行に配置される前記ランプと、
前記ランプが前記設置面に対して平行に設置される状態と前記ランプの自由端を前記設置面より離れる方向に持ち上げて前記設置面に対して傾斜して設置される状態とを切り換える切換手段と、
を具備してなることを特徴とする照明器具。
【請求項２】
前記切換手段は、前記ランプ台の連設方向ランプ自由端側を前記設置面より離れる方向に持ち上げて固定する固定部材を備えてなることを特徴とする、請求項１に記載の照明器具。
【請求項３】
前記固定部材は、前記ランプ台の連設方向ランプ口金部側の端部に台状又は棚状に付設され、隣接する前記ランプ台の連設方向ランプ自由端側の端部と連結することを特徴とする、請求項２に記載の照明器具。
【請求項４】
前記ランプ台は、
本体部と、
前記ランプソケットが設けられ、前記本体部に対して着脱可能な支持台部と、で構成され、
前記ランプは、前記支持台部を前記本体部から分離して設置したとき設置面に対して平行に配置され、
前記切換手段は、前記支持台部を前記本体部から分離した状態で、前記支持台部の連設方向ランプ自由端側を前記設置面より離れる方向に持ち上げて固定する第二固定部材を備えてなることを特徴とする、請求項１乃至３のいずれかに記載の照明器具。
【発明の詳細な説明】
【技術分野】
【０００１】
本発明は、一端部にのみ口金部を有する細長状のランプを装着した器具単体を長手方向に複数連ねて設置するタイプの照明器具に関する。
【背景技術】
【０００２】
従来、複数の器具単体を長手方向に連ねて設置し、外見上長手方向に連続した光の帯を形成するように用いる照明器具が公知である。間接照明ではこのような照明器具がしばしば用いられ、たとえば、天井と壁の間に照明器具を設置するための懐部を設け、該懐部に照明器具を連ねて設置する。これにより、連設した照明器具に照らされて、壁面には連続した反射光の帯が形成される。
以上のような照明器具において、両端部に口金部を有するタイプのランプを使用した照明器具を連ねると、連設部分で発光しない暗部が生じるため、連続した均一な光の帯を形成することができない。また、一端部にのみ口金部を有するタイプのランプを使うと暗部の幅を小さくできるが、隣り合うランプ同士を直線的に、つまり、一方のランプの自由端を他方のランプの後端（口金部）に突き合わせるように並べると、ランプの口金部付近だけ暗部が生じる。
そこで、暗部を目立たなくしてむらのない均一な光の帯を形成するため、ランプを上下、左右等に傾斜させて配置することにより、ランプの口金部に隣のランプを覆い重ねるように構成した照明器具が提案されている。
具体的には、特許文献１に開示される照明器具においては、ランプ台を水平面に置いたときランプが自由端側を上方にして傾斜した姿勢となるように配置されている。これにより、照明器具を長手方向に連ねて設置したとき、ランプの口金部に隣のランプを覆い重ねるように構成している。
また、特許文献２に開示される照明器具においては、ランプ台を水平面に置いたとき水平に配置されるランプを、連設方向に対して左右に傾斜させることにより、ランプの口金部の前に隣のランプを覆い重ねるように構成している。
【特許文献１】特開平５−５４７０４号公報
【特許文献２】特開平１０−２４１４２２号公報
【発明の開示】
【発明が解決しようとする課題】
【０００３】
しかし、従来の照明器具においては、器具単体でのランプ姿勢が傾斜しているため、ランプを直線的に並べるのに必要な空間に加えて、ランプを傾斜配置するための余分な空間が必要となるため、間接照明等で省スペースを優先させたい施工条件においては不利であった。
たとえば、特許文献１に開示された照明器具では、照明器具を水平面に設置した場合、ランプを水平面に対して傾斜させて装着するために照明器具の上下幅が大きくなる。また、特許文献２に開示された照明器具では、ランプを直線的に並べる場合の約二倍の横幅が必要である。
このように、従来の構成では、十分な設置空間を確保できない場所では、照明器具を設置できず、或いは、無理に設置空間を確保しようとすると、意匠上好ましくない設計とせざるを得ない等の問題が生じていた。
そこで、本発明においては、省スペースを優先させたい施工条件にも柔軟に対応できる照明器具を提供することを目的とする。
【課題を解決するための手段】
【０００４】
本発明の解決しようとする課題は以上の如くであり、次にこの課題を解決するための手段を説明する。
【０００５】
即ち、請求項１においては、
細長状の発光部を有し、かつ該発光部の長手方向の一端側に口金部を有するランプを備え、該ランプの長手方向に複数台連ねて使用される照明器具において、
ランプソケットを備えたランプ台と、
前記ランプソケットに装着支持され、前記ランプ台の長手方向に、該ランプ台の設置面に対して平行に配置される前記ランプと、
前記ランプが前記設置面に対して平行に設置される状態と前記ランプの自由端を前記設置面より離れる方向に持ち上げて前記設置面に対して傾斜して設置される状態とを切り換える切換手段と、
を具備してなることを特徴とする照明器具を提供する。
【０００６】
請求項２においては、前記切換手段は、前記ランプ台の連設方向ランプ自由端側を前記設置面より離れる方向に持ち上げて固定する固定部材を備えてなることを特徴とする照明器具を提供する。
【０００７】
請求項３においては、前記固定部材は、前記ランプ台の連設方向ランプ口金部側の端部に台状又は棚状に付設され、隣接する前記ランプ台の連設方向ランプ自由端側の端部と連結することを特徴とする照明器具を提供する。
【０００８】
請求項４においては、
前記ランプ台は、
本体部と、
前記ランプソケットが設けられ、前記本体部に対して着脱可能な支持台部と、で構成され、
前記ランプは、前記支持台部を前記本体部から分離して設置したとき設置面に対して平行に配置され、
前記切換手段は、前記支持台部を前記本体部から分離した状態で、前記支持台部の連設方向ランプ自由端側を前記設置面より離れる方向に持ち上げて固定する第二固定部材を備えてなることを特徴とする照明器具を提供する。
【発明の効果】
【０００９】
本発明の効果として、以下に示すような効果を奏する。
【００１０】
請求項１に係る照明器具においては、ランプを設置面に対して平行にして連ねる、上下幅を抑えた設置方法と、ランプを設置面に対して傾斜させて連ねる、横幅を抑えた設置方法のいずれかを選択できる。いずれの方法でもランプの口金部に隣のランプを覆い重ねることができ、外見上連続した均一な光の帯を形成することができる。したがって、設置空間の条件により有利な設置方法を選択することができるので、省スペースを優先させたい施工条件にも柔軟に対応することができる。
【００１１】
請求項２においては、固定部材を用いてランプ台ごとランプを傾斜させることができる。即ち、簡単な手段でランプの姿勢を切り換えることができる。
【００１２】
請求項３においては、ランプ台に付設された固定部材に隣のランプ台を連結するだけで、簡単にランプを設置面に対して傾斜した姿勢に切り換えることができる。また、煩雑な位置決め作業をすることなく簡単かつ正確にランプ台を等間隔に連ねることができる。
【００１３】
請求項４においては、支持台部を本体部から分離した状態で、ランプを設置面に対して平行にして連ねる設置方法と、ランプを設置面に対して傾斜させて連ねる設置方法のいずれかを選択することができる。いずれの方法でもランプの口金部に隣のランプを覆い重ねることができ、外見上連続した均一な光の帯を形成することができる。これにより、照明器具の設置に必要な上下幅をさらに小さくすることができる。ランプを設置面に対して平行にして連ねる方法では設置に必要な上下幅を最も抑えることができる。ランプを設置面に対して傾斜させて連ねる方法では、ランプを平行にして連ねる場合よりも横幅を抑えつつ、支持台部を本体部に取り付ける場合よりも上下幅も抑えることができる。以上のように、照明器具を設置する方法のヴァリエーションが増え、施工条件に対してより柔軟に対応することができる。
【発明を実施するための最良の形態】
【００１４】
次に、発明の実施の形態を説明する。
図１は本発明に係る照明器具を２台連設した状態を示す側面図、図２は本発明に係る照明器具を２台連設した状態を示す平面図である。図３は載置台、後脚部及び前脚部の詳細を示した斜視図である。図４は照明器具を複数連設した状態を示す図である。図５は照明器具を曲線的に連結した状態を示す平面図である。図６は支持台部を本体部から分離した状態を示す側面図である。図７は第二載置台及び設置部材の詳細を示した斜視図である。図８は支持台部を分離して連設した状態を示す斜視図である。
【００１５】
図１、図２に示すように、本発明による照明器具１は、細長状の発光部２１を有し、かつ該発光部２１の長手方向の一端側に口金部１２を有するランプ６を備え、該ランプ６の長手方向に複数台連ねて使用される照明器具１において、ランプソケット５を備えたランプ台２と、ランプソケット５に装着支持され、前記ランプ台２の長手方向に、ランプ台２の設置面に対して平行に配置されるランプ６と、前記ランプ６が前記設置面に対して平行となる状態と前記ランプ６の自由端６ａを前記設置面より離れる方向に持ち上げて前記設置面に対して傾斜する状態とを切り換える切換手段と、を具備してなる。
なお、本明細書においては、ランプ６の口金部１２側に対し自由端６ａ側を照明器具１の前側とする。また、上下左右等の方向の説明は、特に断らないかぎり、照明器具１を水平面に設置した状態を仮定してなされる。
また、本出願において用いる「ランプ台の端部等を設置面より離れる方向に持ち上げる」という表現は、「ランプ台の端部等を地球の重力に抗した方向に持って上げる」という意味でなく、「ランプ台の端部等を照明器具１の設置される面を含む仮想平面より離れる方向へ動かす」ことを意味するものとする。本実施例では照明器具１を水平面に設置した状態を仮定して説明がなされるので、「ランプ台の端部等を設置面より離れる方向に持ち上げる」という表現は「ランプ台の端部等を（上方に）持ち上げる」と言い換えてもよい。
【００１６】
照明器具１の構成についてさらに詳述する。
図１、図２に示すように、本実施例におけるランプ台２は、本体部３と、該本体部３に対して着脱可能な支持台部４とで構成されている。
本体部３は前後方向に縦長の略直方体形状に構成している。本体部３は点灯回路機器１０等を収納する回路ケースを兼ねており、側面部に端子台１１が設けられている。
ランプ６はその一端をランプソケット５に着脱可能とされ、該ランプソケット５は支持台部４の一端に固定されている。該支持台部４は本体部３に対して着脱可能に固定されている。図３（ａ）に示すように、支持台部４はプレートを正面視略コの字形状に折り曲げ形成されたものであり、本体部３上に被せてネジ１４・１４等（図２参照）で固定するようにしている。図６、図８に示すように、ネジ１４・１４をはずすことにより、支持台部４は本体部３から容易に分離して使用することもできる。
【００１７】
また、図１、図２に示すように、ランプ台２は本体部３の前後の端部にそれぞれ設置場所に取り付けるための前脚部７及び後脚部８を有する。
図３（ｂ）に示すように、前脚部７は、プレートを本体部３の前端底部から下方に延出した後、前方に水平に屈曲して、側面視クランク状に折り曲げ形成して先端に接地脚部７ａを形成している。後述するように、該接地脚部７ａには、前脚部７の前に隣接する照明器具１の載置台１３や設置場所にネジ固定するためのネジ孔１５・１５が設けられている。また、ネジ孔１５とネジ孔１５との間には、接地脚部７ａ前端から内方（後方）へ切り込んだネジ嵌合凹部２０が形成されている。該ネジ嵌合凹部２０は前脚部７を設置面に取り付ける場合に、ネジ頭と設置面との間に差し込んで仮止めでき、照明器具１の取り付けを容易にできるようにしている。
【００１８】
図３（ａ）に示すように、後脚部８はプレートを本体部３の後端底部から下方に延出した後、後方に水平に屈曲して、側面視クランク状に形成し、先端に接地脚部８ａを形成している。該接地脚部８ａには、照明器具１を設置面にネジ固定するためのネジ孔１６・１６が設けられている。また、ネジ孔１６とネジ孔１６との間に、接地脚部８ａ後端から内方（前方）へ切り込んだネジ嵌合凹部１９が形成され、前記同様に照明器具１を容易に取り付けられるようにしている。
【００１９】
図１、図２に示すように、本実施例の照明器具１においては、ランプ６として片口金蛍光灯を使用する。ランプ６は片側の端部にのみ口金部１２（給電部）を有する。ランプ６の発光部２１は、ランプ台２の長手方向の長さに前脚部７の前後幅を加えた程度の長さを有する。ランプ６の口金部１２をランプソケット５に装着固定し、さらに発光部２１をランプソケット台４に設けたランプホルダー９にはめる。図１に示す右側の照明器具１のように、照明器具１を水平面に置いたとき、ランプ６は水平な姿勢で固定される。ランプ６の自由端６ａはランプ台２の前端より前方に突出している。
【００２０】
次にランプ６の水平配置と傾斜配置とを切り換えるための前記切換手段について説明する。
前述のように、本発明の照明器具１は、前記切換手段を具備することにより、設置面に対してランプ６が平行となる状態と、ランプ６の自由端６ａ側を前記設置面より離れる方向に持ち上げて設置面に対してランプ６が傾斜する状態とを切り換えて設置できる。
本実施例においては、前記切換手段は、一つのランプ台２のランプ固定端側の端部、つまり、口金部１２を配置する側の後脚部８に設けて、隣接して配置するランプ台２のランプ自由端側を設置面より離れる方向に持ち上げて固定する構成としている。具体的には、図３（ａ）に示すように、切換手段となる載置台１３はランプ台２のランプ口金部側の端部に固定する固定部１３ｂと、隣接するランプ台２のランプ自由端側の端部を載せて固定する載置面１３ａを備える。
【００２１】
載置台１３についてさらに詳述する。
載置台１３はプレートを側面視において略コの字形状に折り曲げ形成しており、下側の固定部１３ｂが後脚部８に固定される。固定部１３ｂは側面視Ｌ字状の部分であり、該固定部１３ｂの鉛直面の下部にネジ孔を設け、後脚部８の鉛直面にもネジ孔を設けて、両者をネジ２２・２２等で固定するようにしている。但し、下側の水平面にネジ孔を設けて固定部１３ｂを接地脚部８ａに固定する構成であってもかまわない。
載置台１３の最上部には載置面１３ａが形成されている。該載置面１３ａには前脚部７のネジ孔１５・１５に対応する位置にネジ孔１７・１７が設けられている。図１、図２に示すように、後方に隣接する照明器具１０１の前脚部１０７を載置面１３ａに載せてネジで固定することにより、照明器具１・１０１同士を連結することができる。
このようにして照明器具１・１０１を連結すると、図１に示すように、載置台１３に載せた後ろの照明器具１０１は、前側が上方に傾斜した姿勢となる。載置面１３ａは設置面からランプソケット５の上下幅程度の高さに設けられており、かつ、先述のようにランプ６の発光部２１はランプ台２の長手方向の長さに前脚部７一つ分の前後幅を加えた程度の長さを有するので、後方に隣接するランプ１０６の自由端部１０６ａが口金部１２（ランプソケット５）にちょうど覆い重なる。これにより、ランプ６の口金部１２に生じる暗部を目立たなくすることができる。
また、この連結方法では、煩雑な位置決め作業をすることなく簡単かつ正確にランプ台２を等間隔に連ねることができるメリットもある。
【００２２】
なお、図１、図３（ａ）に示すように、後脚部８においては、照明器具１を傾斜させて連結するときに照明器具１の重量を広い面積で支持するために、接地脚部８ａの後部を照明器具１の略傾斜角度分だけ上方に傾斜させている。これにより、照明器具１を傾斜連結するとき、接地脚部８ａの前記傾斜面は設置面に対して平行に密着する。
【００２３】
以上に説明したように、本実施例においては、照明器具１を水平面に置いたとき水平に配置されるランプ６を、ランプ台２の後端に設けた載置台１３により、ランプ台２ごと傾斜させることができる。したがって、設置条件によって、照明器具１の連設方式を選択することができる。
即ち、構造上或いは美観上、設置空間の横幅を抑えることを優先させたい設置条件では、図４（ａ）の側面図に示すように、載置台１３を用いて照明器具１・１・１・・・を上下に傾斜させて連設することができる。
一方、設置空間の上下幅を抑えることを優先させたい設置条件では、図４（ｂ）の平面図に示すように、照明器具１・１・１・・・を水平に置き、たとえば、各器具を連設方向に対して左右に傾斜させて、ランプ６の口金部１２の横に隣のランプ６の自由端部６ａを覆い重ねるように連設することができる。なお、水平置きの場合、口金部１２の横に隣のランプ６を覆い重ねる方法は他にもある。
また、たとえば、照明器具１を上下に傾斜させて連設している途中で、照明器具１を上下にも左右にも傾斜させることができない場所があるときは、図４（ｃ）の側面図に示すように、照明器具１を一部だけ水平に置き、ランプ６の自由端６ａを前方のランプソケット５に突き合わせるように並べて、上下幅を抑えて設置することができる。口金部１２に暗部が生じるのみですむので、照明器具１を設置できない場合よりもはるかにメリットがある。
【００２４】
また、図３（ｂ）に示すように、本実施例に係る照明器具１においては、前脚部７の接地脚部７ａの左右角部をアール形状に形成して、隣り合う照明器具１・１を異なる方向に向けて連結するとき、前記角部が隣のランプ台２の端面に突き当たらないようにしている。これにより、図５に示すように、載置台１３に各器具を連結して傾斜させた状態で、照明器具１を設置空間の曲線部に沿わせて連ねることができる。
以上のように、本発明の照明器具１においては、上述した設置方法から有利な方法を選択できるので、省スペースを優先させたい施工条件に柔軟に対応できる。
【００２５】
なお、照明器具１を傾斜させて連結する手段は、上述した載置台１３のような固定部材を用いる構成に限られるものではない。たとえば、ランプ台２の本体部３後端の側壁から後方に突出した棚状の固定部材を設けることもできる。また、ランプ台２の後端部を段状に形成して、そこに隣のランプ台２を載せることもできる。前脚部７に係止片を設けるとともに、本体部３の後端面に隣のランプ台２の係止片を引っ掛けて固定するための係止孔を設ける構成でもよい。
【００２６】
また、ランプ台２の前端側（ランプ自由端側）を設置面より離れる方向に持ち上げて固定するための固定部材は、上述のようなランプ台２の後端部に付設される構成のものに限られない。たとえば、ランプ台２の下に取り付ける独立した台でもよい。また、水平設置時はランプ台２の本体部３内部に収納されていて傾斜設置するときだけ下方に延出されるスタンド等でもよい。これらの場合は、ランプ台同士を連結する必要はない。
【００２７】
また、以上においては、ランプ６を水平姿勢から傾斜姿勢へ切り換える切換手段として、固定部材を用いてランプ６をランプ台２ごと設置面より離れる方向に持ち上げる手段を示したが、ランプ姿勢の切り換えには他にも各種の手段がある。
たとえば、本体部３は水平に置いたままで、支持台部４のみを設置面より離れる方向に持ち上げて支持台部４ごとランプ６を傾斜させる手段でもよい。また、本体部３及び支持台部４は水平に置いたままで、ランプ６の装着角度を変更できるランプソケット５を用い、ランプ６を傾斜させるときはランプホルダー９の高さを変える手段でもよい。
【００２８】
次に、図６〜図８を参照して、支持台部４を本体部３から分離して使用する場合について説明する。先述のように、本実施例のランプ台２においては、支持台部４を本体部３から分離して使用することができる。図６に示すように、支持台部４は、該支持台部４を本体部３から分離して設置する場合、一端の支持台部４はランプ６が設置面に対して平行となるように配置され、その後方に長手方向に連設される支持台部１０４は設置面に対して平行または傾斜して配置されるように構成されている（図中、左の照明器具１０１の本体部３は省略）。
【００２９】
各支持台部４の後端部には支持台部４をネジ等により直接設置面に取り付けるための設置部材２３が取り付けられる。図７に示すように、設置部材２３はプレートをクランク状に折り曲げて形成している。設置部材２３の上側の水平部は支持台部４への固定部２３ｂとなっている。固定部２３ｂは左右にネジ孔を有し、該ネジ孔を支持台部４後端部に設けたネジ孔２８・２８（図３（ａ）参照）に合わせてネジ固定される。設置部材２３の下側の水平部は設置面に接地固定する接地部２３ａとなっている。接地部２３ａには該接地部２３ａを設置面にネジ固定するためのネジ孔２４・２４が設けられている。図６、図７を参照して、接地部２３ａは、次に説明するように、支持台部４を傾斜配置するときに、設置面に密着して支持台部４の重量を支持できるように、支持台部４の傾斜角度分だけ上方に傾斜させて形成されている。
【００３０】
図６に示すように、本実施例においては、ランプ姿勢を切り換えるための前記切換手段は、支持台部４を本体部３から分離した状態で、支持台部４のランプ自由端側の端部を設置面より離れる方向に持ち上げて固定する第二載置台１８を備えている。
図７に示すように、第二載置台１８はプレートを側面視においてクランク状に折り曲げて形成している。第二載置台１８の下側の水平部は支持台部４への固定部１８ｂとなっている。該固定部１８ｂには左右にネジ孔が設けられており、前記部材２３の取付部２３ｂ上に載せたうえ、ネジ２６・２６により該部材２３とともに支持台部４の後端部に固定される。なお、部材２３を使用しないときは、ネジ２６・２６によって支持台部４に直接固定される。
第二載置台１８においては、該固定部１８ｂの後端部より鉛直上方に屈曲して延伸した後、後方に屈曲して上方水平部を形成している。該水平部は隣の支持台部４の前端部を載せる載置面１８ａの役割を果たす。載置面１８ａの中央には、隣の支持台部１０４をネジ固定するためのネジ孔２５が設けられている。支持台部４を傾斜連結する際は、後方の支持台部１０４の前端部を設置面より離れる方向に持ち上げて載置面１８ａに載せ、支持台部１０４の該部位に設けられたネジ孔２７（図３（ｂ）参照）をネジ孔２５に合わせてネジ固定する。
図６に示すように、載置面１８ａはランプソケット５の上面と略同じ高さに設けられており、後方に隣接する支持台部１０４の前端部を第二載置台１８に載せると、口金部１２（ランプソケット５）に後ろのランプ１０６の自由端１０６ａがちょうど覆い重なる。したがって、第二載置台１８を用いてランプ１０６を支持台部１０４ごと傾斜させて連ねることにより、外見上連続した均一な光の帯を形成することができる。
図６に示すように、本実施例においては、支持台部１０４を分離して傾斜連結すると、ランプ１０６の自由端１０６ａは本体部３上面よりも若干上方に位置する。そのため、傾斜させた照明器具１０１の上下幅はランプ自由端１０６ａの設置面からの高さによって決まる。その上下幅は、図１に示した、支持台部４を本体部３に固定して水平に設置した照明器具１の上下幅よりも小さい。したがって、支持台部４を分離して傾斜連結すると、照明器具１を設置する空間の上下幅をより小さく抑えることができる。
また、図７に示すように、第二載置台１８の横幅は支持台部４の横幅の半分程度に構成しているので、隣り合う支持台部４・４を、支持台部４のプレート垂直部が第二載置台１８に突き当たるまでの範囲で、異なる方向に向けて連結することができる。これにより、支持台部４を分離した状態でも、図５で示したのと同様に、第二載置台１８に各支持台部４を連結して傾斜させた状態で、該支持台部４を設置空間の曲線部に沿わせて連ねることができる。
【００３１】
また、図８（ｂ）に示すように、支持台部４を水平置きにしても、連設方向に対して左右に傾斜させるなどして、ランプ６の口金部１２に隣接するランプ６の自由端６ａを覆い重ねることができる。図６に示すように、支持台部４を水平置きにすると、ランプ６を含めた支持台部４の上下幅は本体部３よりも低くなる。即ち、照明器具１の上下幅を脚部７・８を含めた本体部３の上下幅まで抑えることができるので、照明器具１を設置するのに必要な上下幅を最も小さく抑えることができる。
以上のように、ランプ台２を、本体部３と、該本体部３に対して着脱可能な支持台部４とで構成し、支持台部４を分離した状態で該支持台部４の姿勢を切り換える第二載置台１８を用いることにより、照明器具１を設置する方法のヴァリエーションが増え、施工条件に対してより柔軟に対応することができる。
【００３２】
なお、支持台部４を傾斜固定するための第二固定部材として、本実施例の第二載置台１８の他にも様々な構成のものが可能である。たとえば、支持台部４の底部に着脱できる独立したスタンド部材として構成することもできる。
また、本実施例では第二載置台１８を支持台部４の傾斜固定専用のものとして示したが、前記載置台１３を本体部３の後脚部８から取り外して支持台部４に付け替え、第二載置台として兼用する構成とすることもできる。この構成では支持台部４専用の第二載置台を別に用意する必要がない。また、支持台部４を設置面に固定するための前記設置部材２３の役割を第二載置台に兼ねさせる構成とすることもできる。
また、ランプ姿勢の切換手段を、上述したように、支持台部４を傾斜させず、たとえばランプの装着角度を変更できるランプソケットによってランプのみ傾斜させる構成とするならば、支持台部４を本体部３から分離した状態でも本体部３に固定した状態と同じ機構でランプ姿勢を変更することができる。この構成では、支持台部４専用の第二固定部材等を用意する必要もないうえ、固定部材等を付け替えたりする手間も省ける。
【００３３】
以上に、ランプ台２の本体部３と支持台部４とを結合した場合と分離した場合における照明器具１の連設方法について説明した。
なお、本実施例においては、ランプ台２は本体部３と該本体部３に着脱可能な支持台部４とで構成したが、ランプ台は分割可能な構成でなくてもよい。たとえば、本実施例の本体部３のような回路ケース上に直接ランプソケットを設けてランプを装着することもできる。その他にも、本実施例の支持台部のような薄型の台のみで成るランプ台を構成することもできる。
また、ランプ台２は略直方体状のものに限らず、側面視略台形状、略半楕円状のもの等、様々な形状に構成することができる。いずれにせよ、ランプ台を水平面に置いたとき、ランプが水平に配置されるように構成されるものであればよい。ランプ姿勢の切換手段には、ランプ台の構成に適した手段を選択すればよい。
また、ランプ６としては細長状の片口金ランプであればよく、本実施例に示した片口金蛍光灯のほか、直管型白熱灯等を用いてもよい。
【００３４】
また、本実施例では、本発明に係る照明器具を水平面上に置いて並べるタイプのものとして例示したが、本発明に係る照明器具は他にも様々な設置条件に対応するように構成できる。たとえば、天井等に下向きに設置するように構成することもできる。或いは、壁等の鉛直面に設置するように構成することもできる。
【００３５】
以上に本発明に係る照明器具の実施例を示した。なお、本発明に係る照明器具は、上述した構成のものに限らず、本発明を特徴付ける思想に基づいて自由に構成することができることは当業者によって容易に理解できよう。
【産業上の利用可能性】
【００３６】
本発明に係る照明器具は、連続した光の帯を形成する照明器具として、室内、屋外、旅客車両内等の照明に幅広く利用することができる。
【図面の簡単な説明】
【００３７】
【図１】本発明に係る照明器具を２台連設した状態を示す側面図。
【図２】本発明に係る照明器具を２台連設した状態を示す平面図。
【図３】載置台、後脚部及び前脚部の詳細を示した斜視図。
【図４】照明器具を複数連設した状態を示す図。
【図５】照明器具を曲線的に連結した状態を示す平面図。
【図６】支持台部を本体部から分離した状態を示す側面図。
【図７】第二載置台及び設置部材の詳細を示した斜視図。
【図８】支持台部を分離して連設した状態を示す斜視図。
【符号の説明】
【００３８】
１    照明器具
２    ランプ台
３    本体部
４    支持台部
５    ランプソケット
６    ランプ
７    前脚部
８    後脚部
１２    口金部
１３    載置台
１８    第二載置台
【図１】
0004549252.tif 000002
【図２】
0004549252.tif 000003
【図３】
0004549252.tif 000004
【図４】
0004549252.tif 000005
【図５】
0004549252.tif 000006
【図６】
0004549252.tif 000007
【図７】
0004549252.tif 000008
【図８】
0004549252.tif 000009